(57)【要約】本発明は、高密度再生専用ディスクにアドレス情報記録方法と、その方法で記録したアドレス情報を有する高密度再生専用光ディスク（ＢＤ−ＲＯＭ）に係り、本発明によるＢＤ−ＲＯＭは、データが複数のブロックに区画され、各ブロックはランイン領域、前記データの一部がＥＣＣフォーマッティング及び変調して記録された物理的クラスタ、ランアウト領域で構成されて、前記ランイン領域及び／またはランアウト領域が該当ブロックのアドレスを含んでいる。
2005536003.tif 000002
【特許請求の範囲】
【請求項１】
データが複数のブロックに区画されて記録された再生専用記録媒体において、
前記各ブロックはランイン領域、前記データの一部が記録された物理クラスタ、ランアウト領域を含み、前記ランイン領域は該当ブロックのアドレスを含んでいることを特徴とする再生専用記録媒体。
【請求項２】
前記アドレスはデータブロックの先頭であることを知らせる２０チャネルビットの反復パターンの前または後に記録されることを特徴とする請求項１記載の再生専用記録媒体。
【請求項３】
前記アドレスは２０チャネルビットのサイズを有することを特徴とする請求項１記載の再生専用記録媒体。
【請求項４】
該当ブロックが再生専用記録媒体のリードイン領域、データ領域、リードアウト領域のどこに前記アドレスが属しているかを知らせる領域識別フィールドを含んでいることを特徴とする請求項１記載の再生専用記録媒体。
【請求項５】
前記領域識別フィールドは２チャネルビットのサイズを有することを特徴とする請求項４記載の再生専用記録媒体。
【請求項６】
複数のブロックが同一のアドレスを有することを特徴とする請求項１記載の再生専用記録媒体。
【請求項７】
各ブロックが唯一のアドレスを有することを特徴とする請求項１記載の再生専用記録媒体。
【請求項８】
データが複数のブロックに区画されて記録された再生専用記録媒体において、
前記各ブロックはランイン領域、データ記録クラスタ、ランアウト領域を含み、前記ランアウト領域が該当ブロックのアドレスを含んでいることを特徴とする再生専用記録媒体。
【請求項９】
前記前記アドレスがデータブロックの終端であることを知らせる２０チャネルビットの反復パターンの前または後に記録されることを特徴とする請求項８記載の再生専用記録媒体。
【請求項１０】
前記アドレスが２０チャネルビットのサイズを有することを特徴とする請求項８記載の再生専用記録媒体。
【請求項１１】
該当ブロックが再生専用記録媒体のリードイン領域、データ領域、リードアウト領域のどこに前記アドレスが属しているかを知らせる領域識別フィールドを含むことを特徴とする請求項８記載の再生専用記録媒体。
【請求項１２】
前記領域識別フィールドは２チャネルビットのサイズを有することを特徴とする請求項１１記載の再生専用記録媒体。
【請求項１３】
複数のブロックが同一のアドレスを有することを特徴とする請求項８記載の再生専用記録媒体。
【請求項１４】
各ブロックが唯一のアドレスを有することを特徴とする請求項８記載の再生専用記録媒体。
【請求項１５】
再生専用記録媒体にデータを記録する方法において、
それぞれがランイン領域、データ記録クラスタ、ランアウト領域を含む複数のデータブロックのそれぞれの記録クラスタに、各データブロックのランイン領域とランアウト領域のいずれか又は双方にそれぞれのデータブロックのアドレスを記録しながら、データを記録することを特徴とする記録媒体へのデータ記録方法。
【請求項１６】
前記アドレスが前記ランイン領域またはランアウト領域に形成される２０チャネルビットの反復パターンの前または後に記録されることを特徴とする請求項１５記載の記録媒体へのデータ記録方法。
【請求項１７】
前記複数のブロックが同一のアドレスを有するように前記アドレスが記録されることを特徴とする請求項１５記載の記録媒体へのデータ記録方法。
【請求項１８】
各ブロックが唯一のアドレスを有するように前記アドレスが記録されることを特徴とする記録媒体へのデータ記録方法。
【請求項１９】
ランイン領域、データ記録クラスタ、ランアウト領域を含むデータブロックが記録された再生専用記録媒体を再生する方法において、
データブロックのランイン領域とランアウト領域のいずれか又は双方からビットを読み取り、
読み取ったビットに基づいて前記データブロックの物理クラスタに記録されたデータのアドレスを確認することを特徴とする記録媒体のデータ再生方法。
【発明の詳細な説明】
【技術分野】
【０００１】
本発明は、再生専用ブルーレイディスク（ＢＤ−ＲＯＭ：Ｂｌｕ−ｒａｙ  Ｄｉｓｃ  Ｒｅａｄ  Ｏｎｌｙ）のような高密度再生専用ディスクのアドレス情報記録／再生方法と、そのアドレス情報を有する高密度再生専用ディスクに関する。
【背景技術】
【０００２】
最近、高画質のビデオデータと高音質のオーディオデータを長時間の記録することができる新しい高密度ディスクである再記録可能なブルーレイディスク（ＢＤ−ＲＥ：Ｂｌｕ−ｒａｙ  Ｄｉｓｃ−Ｒｅｗｒｉｔａｂｌｅ）に対する規格化作業が急速に進展している。ＢＤ−ＲＥの規格が確定されれば、関連製品が開発され市場に発表されて商用化されるものと期待されている。
【０００３】
ＢＤ−ＲＥは、図１に示したように、ディスクの内周側からクランピング領域、トランジション領域、ＢＣＡ（Ｂｕｒｓｔ  Ｃｕｔｔｉｎｇ  Ａｒｅａ）領域、リードイン領域（Ｌｅａｄ−ＩｎＺｏｎｅ）がその順序の通り存在し、ディスクの中ほどと外周には、データ領域（Ｄａｔａ  Ｚｏｎｅ）とリードアウト領域（Ｌｅａｄ−Ｏｕｔ  Ｚｏｎｅ）がそれぞれ存在するディスク構造を有する。
【０００４】
図２Ａ、図２Ｂは、論議されている規格によるＢＤ−ＲＥの記録ユニットブロック（ＲＵＢ：Ｒｅｃｏｒｄｉｎｇ  Ｕｎｉｔ  Ｂｌｏｃｋ）の構造を示したものである。記録ユニットブロックは一つのエラー訂正ブロック（ＥＣＣ  ｂｌｏｃｋ）に対応しているブロックであって、データが記録される一つの記録ユニットブロックは、図２Ａのようにランイン（Ｒｕｎ−ｉｎ）領域、物理クラスタ（Ｐｈｙｓｉｃａｌ  Ｃｌｕｓｔｅｒ）領域、ランアウト（Ｒｕｎ−ｏｕｔ）領域、ガード３領域（Ｇｕａｒｄ  ３）で構成される。
【０００５】
Ａ／Ｖデータのように多くの記録ユニットブロックが連続的に記録されるデータの場合には、図２Ｂに示したように、ランイン領域、物理クラスタ領域、ランアウト領域を必要なだけ繰り返して後、最後にガード３領域が構成される記録フォーマットを有している。ガード３領域は次に記録されるデータが先に記録されたデータ領域に重なって記録されることを防止するためのものである。
【０００６】
記録ユニットブロックのランイン領域は、図３Ａに示したように、１１００チャネルビットのガード１領域Ｇｕａｒｄ  １と、１６６０チャネルビットのプリアンブル（Ｐｒｅ−Ａｍｂｌｅ）領域とで構成されている。ガード１領域には、記録ユニットブロックの先頭を識別するための２０チャネルビットの同一パターンが５５回反復記録される。
【０００７】
記録ユニットブロックのランアウト領域は、図３Ｂに示したように、５６４チャネルビットのポストアンブル（Ｐｏｓｔ−Ａｍｂｌｅ）と５４０チャネルビットのガード２領域Ｇｕａｒｄ  ２で構成されている。ガード２領域には、記録ユニットブロックの終端を識別するための２０チャネルビットの同一パターンが２７回反復記録される。
【０００８】
そして、ガード３領域にも、図３Ｃに示したように、連続的なデータ記録の終了を識別するための２０チャネルビットの同一パターンが２７回反復記録される。
【０００９】
したがって、ディスクレコーダ等の装置が、ガード領域を検出することによって記録ユニットブロックの先頭と終端、そして連続して記録されたデータの終了位置を識別することができる。
【００１０】
ＢＤ−ＲＥにデータを記録する時は、一つのエラー訂正ブロックに対応する記録された記録ユニットブロック（ＲＵＢ）をランダムにアクセスできるようにするためのアドレスが記録される。このアドレスは、記録ユニットブロック内の物理クラスタ領域に分散して記録され、記録するデータと共にＥＣＣエンコードされ、かつ変調されて記録される。
【００１１】
したがって、物理クラスタに記録されたアドレスを読み出して確認するためには、記録ユニットブロック（ＲＵＢ）をすべて読んで復調し、デコードしなければならない。そのため、光ディスクレコーダまたは光ディスクプレーヤー等のシステム負荷が増加するだけでなく、記録データに対するランダムアクセス動作が遅くなる。
【００１２】
一方、高密度再記録可能ディスクの規格確立とともにこれに対応する高密度ディスクであるブルーレイ再生専用ディスク（‘ＢＤ−ＲＯＭ’と称する）の規格も論議中にある。ところが、ＢＤ−ＲＯＭに収録されたデータに対してもランダムアクセス動作を支援する必要があるが、ランダムアクセス動作を支援するために、ＢＤ−ＲＥで採用しているアドレス記録方式をＢＤ−ＲＯＭに採用すると先に言及した、システム負荷及びアドレスデコードの速度問題が同様に発生する。
【発明の開示】
【発明が解決しようとする課題】
【００１３】
本発明は前記のような実情を勘案して創作されたものであって、再生専用ブルーレイディスク（ＢＤ−ＲＯＭ）のような高密度再生専用ディスクに記録されたデータを速かにランダムアクセスすることができるようにするアドレスの記録方法、それによってアドレスが記録された高密度再生専用光ディスク、そしてそのディスクの再生方法を提供することが目的である。
【課題を解決するための手段】
【００１４】
前記のような目的を達成する本発明による高密度再生専用ディスクは、データが複数のブロックに区画されて記録されており、各ブロックはランイン領域、前記データの一部がＥＣＣフォーマッティング及び変調して記録された物理クラスタ、ランアウト領域を含み、ランイン領域及び／またはランアウト領域に該当ブロックのアドレスを含んでいることを特徴とする。
【００１５】
また、本発明による高密度再生専用光ディスクの記録方法は、ランイン領域、データ記録クラスタ、ランアウト領域を含むブロックの複数の記録クラスタにデータを分散して記録しながら、各ブロックのランイン領域及び／またはランアウト領域に該当ブロックのアドレスを記録することを特徴とする。
【００１６】
また、本発明による高密度再生専用光ディスクの再生方法は、ランイン領域、データ記録クラスタ、ランアウト領域を含むブロックの記録クラスタに記録されているデータのアドレスを、そのブロックのランイン領域及び／またはランアウト領域から読み取って確認することを特徴とする。
【００１７】
前記のような特徴を有する本発明による高密度再生専用光ディスクのアドレス情報記録方法と、それによって記録されたアドレスを含む高密度再生専用光ディスクは、再生動作時、ランイン領域またはランアウト領域に記録されているアドレスをすぐ利用することができて、システムのデコード負荷なしにユーザーが希望する任意記録位置を速かに探してアクセスすることができる。
【発明を実施するための最良の形態】
【００１８】
以下、本発明による高密度再生専用ディスクのアドレス情報の記録とその再生方法、及びアドレスが記録された高密度再生専用光ディスクに対する望ましい実施形態に対して、添付した図面を参照しながら詳細に説明する。
【００１９】
本発明による高密度再生専用光ディスクのアドレス情報記録方法は、再生専用ブルーレイディスク（ＢＤ−ＲＯＭ）を製作する過程、すなわちプリピット（ｐｒｅ−ｐｉｔ）を形成する過程に適用される。
【００２０】
本発明によるＢＤ−ＲＯＭは、図４に示したように、クランピング領域、トランジション領域、バストカッティング領域（ＢＣＡ）、リードイン領域、データ領域、リードアウト領域などに区画される。リードイン領域、データ領域、リードアウト領域の全部または一部が、所定記録サイズのｎ個の論理領域（Ｌｏｇｉｃａｌ  Ｚｏｎｅｓ＃０〜＃（ｎ−１））に区画される。この論理領域のサイズはＢＤ−ＲＯＭの製作時に決定される。
【００２１】
ＢＤ−ＲＯＭに記録されるデータは、図２を参照しながら前述したように、一つのエラー訂正ブロック（ＥＣＣ  Ｂｌｏｃｋ）に対応する所定記録サイズの記録ユニットブロック（ＲＵＢ）に分けて記録される。しかし、本発明の記録ユニットブロックはＢＤ−ＲＥの記録ユニットブロックとは異なる構造を有する。すなわち、ＢＤ−ＲＯＭの記録ユニットブロックに含まれる２７６０チャネルビットのランイン領域は、図５Ａに示したように、ＢＤ−ＲＥのランイン領域と異なる構造のガード１領域（Ｇｕａｒｄ  １）を有する。
【００２２】
本発明によるＢＤ−ＲＯＭのガード１領域には、記録ユニットブロックが、先に区画されたｎ個の論理領域のどこに属するかを識別するための２０チャネルビットの領域ＩＤ（Ｚｏｎｅ  ＩＤ）情報を持つ。
【００２３】
このような領域ＩＤの記録フィールドを確保するために、記録ユニットブロックの先頭を識別するためのビット情報は、ＢＤ−ＲＥに比べて２０チャネルビットだけそのサイズを小さくしている。したがって、記録ユニットブロックの先頭にある識別ビット情報は２０チャネルビットの同一パターンが５５回ではなく５４回反復記録される。ＢＤ−ＲＯＭの記録ユニットブロックの物理的なサイズはＢＤ−ＲＥと変わらない。
【００２４】
必要であれば、領域ＩＤのサイズをさらに大きく、例えば４０チャネルビットにしてそれだけ同一パターンの反復回数を減らすようにしてもよい。
【００２５】
２０チャネルビットの論理領域ＩＤフィールドは、図５Ｂに示したように、１０８０チャネルビットにした記録ユニットブロックの先頭を識別するビット情報の後に位置させることもできる。
【００２６】
一つの論理領域はｋ個の記録ユニットブロックを含むように割り当てることもできる。ただし、ｋ＞１。この場合にはｋ個の記録ユニットブロックが同一のアドレスを有する。、一つの論理領域を一つの記録ユニットブロックと１対１に対応させたときには、それぞれの記録ユニットブロックは唯一のアドレスを有する。
【００２７】
論理領域が、一つのエラー訂正ブロックに対応する一つの記録ユニットブロックに割り当てられると、一つの論理領域が一つの記録ユニットブロックに対応するので、論理領域のＩＤは記録ユニットブロックの唯一アドレスとなる。したがって、論理領域のＩＤを参照して記録ユニットブロックにランダムアクセスすることができる。
【００２８】
領域ＩＤ情報は、図６Ａに示したように、記録ユニットブロックに含まれる１１０４チャネルビットのランアウト領域内のガード２領域（Ｇｕａｒｄ  ２）に含めて記録することもできる。記録される領域ＩＤのサイズを２０チャネルビットにすれば、記録ユニットブロックの終端を識別するためのビット情報は、２０チャネルビットの同一パターンが２７回ではない２６回反復記録される。ＢＤ−ＲＯＭの記録ユニットブロックの物理的なサイズはＢＤ−ＲＥと変わらない。
【００２９】
また、２０チャネルビットの論理領域ＩＤフィールドは、図６Ｂに示した例のように、５２０チャネルビットの記録ユニットブロックの終端識別ビット情報の後に位置させることもできる。
【００３０】
図７に、記録信号を読み取る光ピックアップ１１、読み取られた信号を二進信号に変換するＲＦ部１５、二進信号をビット変換して解析して必要な場合変換されたビットストリームを復調し、エラー訂正して元の記録データに復旧するＶＤＰ（Ｖｉｄｅｏ  Ｄｉｓｃ  Ｐｌａｙｅｒ）システム１２、復旧された元のデータをアナログＡ／Ｖ信号に変換するＤ／Ａ変換器１３などを含むディスクプレーヤーの簡単なブロック図が示されている。、論理領域のＩＤがランイン領域及び／またはランアウト領域に記録されているＢＤ−ＲＯＭが図７のディスクプレーヤー内に挿着されると、現在光ピックアップ１１により読み取られている論理領域の位置を何ら復調せずに正しく知ることができる。
【００３１】
ＶＤＰシステム１２は、現在の記録ユニットブロックのランイン領域及び／またはランアウト領域から読み取られ、かつＲＦ部１５で二進化された記録信号を対応するビット列に変換し、さらに５４回反復パターンの前または後（ランイン領域に領域ＩＤが記録された場合）に位置する２０チャネルビットのビット列、または２６回反復パターンの前または後（ランアウト領域に領域ＩＤが記録された場合）に位置する２０チャネルビットのビット列を調べる。そこから領域ＩＤ（位置識別値）を、復調及びエラー訂正過程なしに直ちに得ることができる。このように領域ＩＤに基づいて希望する特定の位置を速く判断することができるので、目標位置を素早く探してアクセスすることができる。
【００３２】
前記のようにランイン領域のガード１及び／またはランアウト領域のガード２に記録される領域ＩＤ情報の一部を利用して、現在の記録ユニットブロックの位置がリードイン領域、データ領域またはリードアウト領域であるかを示すこともできる。例えば、２０チャネルビットの領域ＩＤ情報のうち先頭２チャネルビットの値を領域コードに割当てて、そこにリードイン領域である場合‘００’、データ領域である場合‘０１’、リードアウト領域である場合‘１０’を記録するようにすることができる。
【００３３】
このように領域コードのフィールドを確保して置けば、ディスクプレーヤーは、ロングジャンプの場合、移動した位置で２０チャネルビットの領域ＩＤ情報のうち先頭の２チャネルビットの値を確認して、リードイン領域、データ領域またはリードアウト領域であることを迅速に判断して移動した位置の正確性を概略的に判断することができる。例えば、データ領域内での内側への移動である場合、移動した位置で確認された領域ＩＤ情報の先頭２チャネルビットが‘００’ならばこれはリードイン領域であることを意味するので、再び外側に短いジャンプをすぐ実行することができる。
【００３４】
以上、前述した本発明の望ましい実施形態は、例示の目的のために開示されたものであって、当業者ならば、添付された特許請求範囲に開示された本発明の技術的思想とその技術的範囲内で、他の多様な実施形態を改良、変更、代替または付加などが可能である。
【図面の簡単な説明】
【００３５】
【図１】再記録可能なブルーレイディスクの構造を示した図である。
【図２】再記録可能なブルーレイディスク（ＢＤ−ＲＥ：Ｂｌｕ−ｒａｙ  Ｄｉｓｋ  ＲＥｗｒｉｔａｂｌｅ）の記録ユニットブロックの構成を示した図である。
【図３】再記録可能なブルーレイディスク（ＢＤ−ＲＥ）の記録ユニットブロックにあるランイン領域、ランアウト領域、ガイド３領域をそれぞれ示した図である。
【図４】は本発明によって再生専用ブルーレイディスク（ＢＤ−ＲＯＭ）の領域を複数の論理領域で区画した例を示した図である。
【図５】本発明による再生専用ブルーレイディスク（ＢＤ−ＲＯＭ）の記録ユニットブロックのランイン領域の構成例をそれぞれ示した図である。
【図６】本発明による再生専用ブルーレイディスク（ＢＤ−ＲＯＭ）の記録ユニットブロックのランアウト領域の構成例をそれぞれ示した図である。
【図７】は記録媒体を再生するためのプレーヤーの構成を簡略に示した図である。
【図１】
2005536003.tif 000003
【図２】
2005536003.tif 000004
【図３】
2005536003.tif 000005
【図４】
2005536003.tif 000006
【図５】
2005536003.tif 000007
【図６】
2005536003.tif 000008
【図７】
2005536003.tif 000009
【国際調査報告】
2005536003.tif 000010
2005536003.tif 000011